(57)【要約】【課題】簡易な構成で容易に取付部と樋支持具本体とを連結させることができる軒樋支持具を提供する。【解決手段】軒先７に固定される固定部３と該固定部から下方に延びる取付部４とを有する固定部材２と、前記取付部に対して上下方向にスライド移動可能に連結自在とされ、軒樋８を支持する樋支持具本体５とを備える軒樋支持具１において、前記取付部は、上下方向に延びる長孔４１と、該長孔の幅方向に位置し、間隔を空けて上下方向に連続して設けられている複数の係合凹部４２とを有し、前記樋支持具本体の後端部５ｂには、接続部６が設けられ、前記接続部は、前記長孔に挿通される挿通部６１と、該挿通部に連設され、前記係合凹部のいずれかに係合される係合突部６３が設けられた、前記取付部に前記樋支持具本体が連結されたときに、前記取付部の後方に位置する引っ掛け部６２とを有し、上下寸法Ｔ１が前記長孔の幅寸法Ｗより小さい。【選択図】図１
2020183661.tif 000002
【特許請求の範囲】
【請求項１】
軒先に固定される固定部と該固定部から下方に延びる取付部とを有する固定部材と、前記取付部に対して上下方向にスライド移動可能に連結自在とされ、軒樋を支持する樋支持具本体とを備える軒樋支持具において、
前記取付部は、上下方向に延びる長孔と、該長孔の幅方向に位置し、間隔を空けて上下方向に連続して設けられている複数の係合凹部とを有し、
前記樋支持具本体の後端部には、接続部が設けられ、
前記接続部は、前記長孔に挿通される挿通部と、該挿通部に連設され、前記係合凹部のいずれかに係合される係合突部が設けられた、前記取付部に前記樋支持具本体が連結されたときに、前記取付部の後方に位置する引っ掛け部とを有し、上下寸法が前記長孔の幅寸法より小さいことを特徴とする軒樋支持具。
【請求項２】
請求項１において、
前記係合突部は、幅方向内方に突出する抜け止め部が設けられていることを特徴とする軒樋支持具。
【発明の詳細な説明】
【技術分野】
【０００１】
本発明は、軒先に軒樋を支持する軒樋支持具に関する。
【背景技術】
【０００２】
従来より、特許文献１のような軒樋支持具が知られている。このような軒樋支持具は、樋支持具本体を取付部に対して上下方向の所望の位置で固定することができる。
【先行技術文献】
【特許文献】
【０００３】
【特許文献１】特開平０８−０６０８２２号公報
【発明の概要】
【発明が解決しようとする課題】
【０００４】
しかしながら、特許文献１のような軒樋支持具は、取付部の長孔と樋支持具本体の挿通孔とが重なりあった部分にボルトを挿通させ、ボルトに座金を装着させてナットで締結して固定する必要がある。そのため、樋支持具本体を取付部に固定させる作業に時間と労力がかかるだけでなく、軒樋支持具の部品点数が増えてしまう。
【０００５】
本発明は、このような事情を考慮して提案されたもので、その目的は、簡易な構成で容易に取付部と樋支持具本体とを連結させることができる軒樋支持具を提供することにある。
【課題を解決するための手段】
【０００６】
上記目的を達成するために、請求項１に記載の軒樋支持具は、軒先に固定される固定部と該固定部から下方に延びる取付部とを有する固定部材と、前記取付部に対して上下方向にスライド移動可能に連結自在とされ、軒樋を支持する樋支持具本体とを備える軒樋支持具において、前記取付部は、上下方向に延びる長孔と、該長孔の幅方向に位置し、間隔を空けて上下方向に連続して設けられている複数の係合凹部とを有し、前記樋支持具本体の後端部には、接続部が設けられ、前記接続部は、前記長孔に挿通される挿通部と、該挿通部に連設され、前記係合凹部のいずれかに係合される係合突部が設けられた、前記取付部に前記樋支持具本体が連結されたときに、前記取付部の後方に位置する引っ掛け部とを有し、上下寸法が前記長孔の幅寸法より小さいことを特徴とする。
【０００７】
請求項２に記載の軒樋支持具は、前記係合突部は、幅方向内方に突出する抜け止め部が設けられていることを特徴とする。
【発明の効果】
【０００８】
請求項１に記載の軒樋支持具は、上述した構成とされているため、簡易な構成で容易に取付部と樋支持具本体とを連結させることができる。
【０００９】
請求項２に記載の軒樋支持具は、上述した構成とされているため、抜け止め部により樋支持具本体が取付部から脱落しにくくなる。
【図面の簡単な説明】
【００１０】
【図１】は、本発明の一実施形態における軒樋支持具の側面図である。
【図２】（ａ）は、軒樋支持具の部分斜視図、（ｂ）は、接続部の拡大部分斜視図である。
【図３】（ａ）は、取付部に接続部を連結させる前の状態を示した軒樋支持具の要部拡大斜視図、（ｂ）〜（ｄ）は、取付部に接続部を連結させる手順を示した（ａ）のＸ−Ｘ線矢視断面図である。
【図４】は、樋支持具本体の上下方向の位置調整を示した側面図である。
【図５】（ａ）（ｂ）は、それぞれ接続部の他の変形例を示した説明図、（ｃ）は、係合凹部の他の変形例を示した正面図である。
【図６】は、他の実施形態における軒樋支持具の側面図である。
【発明を実施するための形態】
【００１１】
以下に、本発明の実施の形態について図面に基づいて説明する。まず、軒樋支持具の基本構成について説明する。なお、軒樋支持具が軒先に固定されている状態を基準にして、前後方向（軒先から離れる方向を前方向、軒先に近づく方向を後ろ方向）、幅方向（軒先に対する見付の方向と一致する方向）、上下方向等を規定する。また、一部の図では、他図に付している詳細な符号の一部を省略している。
【００１２】
図１，２に示す軒樋支持具１は、軒先７に固定される固定部３と固定部３から下方に延びる取付部４とを有する固定部材２と、取付部４に対して上下方向にスライド移動可能に連結自在とされ、軒樋８を支持する樋支持具本体５とを備える。取付部４は、上下方向に延びる長孔４１と、長孔４１の幅方向に位置し、間隔を空けて上下方向に連続して設けられている複数の係合凹部４２とを有する。樋支持具本体５の後端部５ｂには、接続部６が設けられている。接続部６は、長孔４１に挿通される挿通部６１と、挿通部６１に連設され、係合凹部４２のいずれかに係合される係合突部６３が設けられた、取付部４に樋支持具本体５が連結されたときに、取付部４の後方に位置する引っ掛け部６２とを有し、上下寸法Ｔ１が長孔４１の幅寸法Ｗより小さい。以下、詳しく説明する。
【００１３】
固定部材２は、金属製の帯体を加工して固定部３と取付部４が一体に形成されている。固定部３は、スレート屋根等の軒先７を挟持するＵ字状の挟持部３１と、軒先７に打ち込まれる打ち込み部３２と、固着具が挿通される挿通孔３３とが形成されている。
【００１４】
取付部４は、固定部３の挟持部３１の端部３１ａから下方に延びて形成されている。取付部４には、上下方向に延びて幅寸法Ｗの大きさで形成されている長孔４１と、長孔４１に沿って上下方向に間隔を空けて複数の係合凹部４２が形成されている。係合凹部４２は、取付部４の両側の側端面４ｂ，４ｂから幅方向の内側に向けて凹むように形成されている。これにより、取付部４の側端面４ｂ，４ｂは櫛刃状になっている。
【００１５】
樋支持具本体５は、軒樋８を受け支持する本体部５０と、本体部５０の軒樋８の前耳８ａ、後耳８ｂを保持する耳保持部５１，５１とを有する。本体部５０は、固定部材２と略同じ材質と厚みの金属製の帯体を加工して形成されている。耳保持部５１，５１は、本体部５０とは別体の薄板を樋支持具本体５の前端部５ａと後端部５ｂとに固定してなり、図１中の二点鎖線の矢印方向に折り曲げることで、軒樋８の前耳８ａ、後耳８ｂをそれぞれ係止できる。
【００１６】
接続部６は、樋支持具本体５の後端部５ｂから後方に延びた挿通部６１と、挿通部６１の後端部６１ａから幅方向に延びている引っ掛け部６２と、引っ掛け部６２の前面６２ａから前方に突出している係合突部６３とが一体に形成されている。接続部６の上下寸法Ｔ１は、長孔４１の幅寸法Ｗより小さい大きさで形成されている。挿通部６１は、取付部４の長孔４１に挿通されるように、長孔４１の幅寸法Ｗよりも小さい幅寸法で形成されている。また、挿通部６１は、挿通される長孔４１内で挿通部６１（図２（ａ）に示す前後方向に延びる一点鎖線Ａ）を軸にして回転可能な大きさで形成されている。そのため、図２（ｂ）の状態から挿通部６１（図２（ｂ）に示す一点鎖線Ａ）を軸にして樋支持具本体５を約９０度回転させることで、図３（ａ）（ｂ）に示すように引っ掛け部６２は長孔４１を通過することができる。引っ掛け部６２には、前面６２ａから、取付部４のいずれかの係合凹部４２に係合される係合突部６３が形成されている。
【００１７】
係合突部６３は、係合凹部４２に係合する形状で形成されている。また、係合突部６３が係合凹部４２に係合され、且つ引っ掛け部６２の前面６２ａが取付部４に当接された状態において、係合突部６３の前端部６３ａが取付部４の前面４ａから突出する大きさで形成されている。また、係合突部６３の前端部６３ａの幅方向内方側の面には、湾曲状に突出している抜け止め部６４が形成されている。抜け止め部６４は幅方向に湾曲状に突出しているので、係合突部６３が係合凹部４２に挿入される際のガイドとなる。
【００１８】
次に図３を参照して、取付部４に樋支持具本体５を連結させる手順について説明する。
図３（ａ）（ｂ）に示す接続部６を長孔４１に挿入させる時の樋支持具本体５は、図２（ｂ）の状態から挿通部６１を軸にして約９０度回転された状態である。この状態を維持したまま、接続部６を取付部４の前方から長孔４１に挿入させる。そして、係合突部６３が長孔４１を通過したら、図２（ｂ）の状態に戻るように回転させる（図３（ｃ）参照）。これにより、樋支持具本体５は取付部４に連結される。そして、係合突部６３が後方からいずれかの係合凹部４２に係合されるように、樋支持具本体５を前方に移動させる。このとき、係合突部６３は、抜け止め部６４が係合凹部４２の側面４２ａに接触することで、幅方向外側に若干変形しながら、係合凹部４２を通過する。抜け止め部６４が、係合凹部４２を通過することで係合突部６３の形状は元に戻り、取付部４の前面４ａに引っ掛かることで、係合突部６３は、係合凹部４２から脱落しにくくなる。
【００１９】
樋支持具本体５の上下の位置を調整する場合には、図４に示すように、樋支持具本体５の前端部５ａ側を持ち上げるようにして係合突部６３と係合凹部４２との係合を解除する。これにより、樋支持具本体５は取付部４に連結された状態を維持したまま上下位置を調整できる。そして、樋支持具本体５の上下の位置が定まったら、再び係合突部６３をいずれかの係合凹部４２に係合させて、樋支持具本体５を取付部４に固定すればよい。
【００２０】
樋支持具本体５は、固定部３が軒先７に固定される前に取付部４に連結されていてもよく、固定部３が軒先７に固定された後に取付部４に連結されていてもよい。打ち込み部３２や挿通孔３３に通した固着具（不図示）により、軒先７に複数の軒樋支持具１が固定された後、それらの樋支持具本体５に軒樋８を架け、軒樋８の前耳８ａ、後耳８ｂを耳保持部５１，５１により保持させる。
【００２１】
本実施形態の軒樋支持具１は、固定部材２と樋支持具本体５の二つの部材により構成されているので、構成が簡易となっている。また、接続部６の引っ掛け部６２を、取付部４の長孔４１に挿入させてから挿通部６１を軸にして樋支持具本体５を回転させることで、取付部４と樋支持具本体５とを容易に連結させることができる。
【００２２】
次に、軒樋支持具１の変形例について、図５を参照して説明する。なお、図１の軒樋支持具１と共通する部分については、説明を省略する。
図５（ａ）の接続部６Ａは、挿通部６１の上部に引っ掛け部６２が形成されている。この挿通部６１と引っ掛け部６２とを合わせた接続部６の上下寸法Ｔ２は、取付部４の長孔４１の幅寸法Ｗよりも小さく形成されている。これにより、図５（ａ）の接続部６Ａは、図３（ａ）（ｂ）に示す接続部６と同様にして、長孔４１内を通過させることができる。
【００２３】
図５（ｂ）に示す接続部６Ｂの係合突部６３は、係合凹部４２に係合され、且つ引っ掛け部６２の前面６２ａが取付部４に当接された状態において、取付部４の前面４ａから突出しない寸法で形成されている。また、抜け止め部６４は、係合凹部４２の側面４２ａに圧接するように形成されているため、係合突部６３は、係合凹部４２から脱落しにくくなる。
【００２４】
図５（ｃ）に示す取付部４Ａは、係合凹部４２が形成されている位置が、図１〜図４の取付部４とは異なる。図５（ｃ）の係合凹部４２は、長孔４１と側端面４ｂ，４ｂとの間に、前後方向に開設して形成されている。この係合凹部４２に係合される接続部６の係合突部６３は、図１〜図４の係合突部６３と比べて幅方向内方に形成されているものが用いられる。本実施形態の取付部４Ａの係合凹部４２は、図１の取付部４の係合凹部４２とは異なり、取付部４Ａの側端面４ｂ側が開放されていない。この係合凹部４２に係合突部６３が係合されると、係合突部６３の上下の面と幅方向の面が係合凹部４２に囲まれる態様となる。そのため、係合突部６３に抜け止め部６４が形成されていなくても、係合突部６３は、係合凹部４２から脱落しにくくなる。
【００２５】
図６の軒樋支持具１の固定部材２は全体として、くの字状に形成されている。固定部３は、軒先７の傾斜に沿うように折曲されており、取付部４は、固定部３の先端部３ａから下方に延びて形成されている。接続部６は、挿通部６１から前方に延びて段落ち形成された足部６５を有し、足部６５の下方には、足部６５に対して前後方向に位置調整可能に連結された状態で樋支持具本体５が設けられている。樋支持具本体５は、耳保持部５１，５１によって、軒樋８の前耳８ａと後耳８ｂとを保持して、軒樋８を吊り支持する吊り具である。樋支持具本体５の下方に設けられているロックレバー５２を回動させることによって、樋支持具本体５の前後方向のスライド移動のロック／アンロックを切り替えることができる。接続部６の他の構成である挿通部６１、引っ掛け部６２、係合突部６３、抜け止め部６４は、図１の軒樋支持具１と同様である。また、取付部４の長孔４１、係合凹部４２も、図１の軒樋支持具１と同様である。
【００２６】
軒樋支持具１は、上述した各構成に限定されることはなく、例えば、軒樋支持具１は、金属製の帯体を加工して形成されているが、樹脂製であってもよい。上述の樋支持具本体５の本体部５０は、接続部６の挿通部６１より幅寸法が大きく形成されているが、挿通部６１と同じ幅寸法であってもよい。係合突部６３には、抜け止め部６４が形成されているが、形成されていなくてもよい。軒樋８の形状は、図中のものに限定されることはなく、また、軒樋８の形状に合わせて樋支持具本体５が形成されればよい。また、係合突部６３と係合凹部４２との係合を解除する場合には、樋支持具本体５の前端部５ａ側を持ち上げるようにすることに限定されることはなく、係合突部６３が係合凹部４２との係合が解除されるまで、樋支持具本体５を後方に押し出してもよい。
【符号の説明】
【００２７】
１              軒樋支持具
２              固定部材
３              固定部
４，４Ａ        取付部
４１            長孔
４２            係合凹部
５              樋支持具本体
５ｂ            後端部
６，６Ａ，６Ｂ  接続部
６１            挿通部
６２            引っ掛け部
６３            係合突部
６４            抜け止め部
７              軒先
８              軒樋
Ｔ１，Ｔ２      （接続部の）上下寸法
Ｗ              （長孔の）幅寸法
【図１】
2020183661.tif 000003
【図２】
2020183661.tif 000004
【図３】
2020183661.tif 000005
【図４】
2020183661.tif 000006
【図５】
2020183661.tif 000007
【図６】
2020183661.tif 000008